(57)【要約】      （修正有）【課題】オフセット印刷において、湿し水から印刷に支障を起こす不純物を除去し、かつ湿し水本来の効果を保持することができる、湿し水の処理方法および湿し水の処理装置を提供する。【解決手段】オフセット印刷で使用される湿し水の処理方法であって、２価以上のカチオンで塩交換した酸性基を有する樹脂を充填したフィルターを用いて湿し水を処理することを含む、湿し水の処理方法；オフセット印刷で使用される湿し水の処理装置であって、湿し水を処理するフィルターカートリッジ４を備えており、該フィルターカートリッジ４が、２価以上のカチオンで塩交換した酸性基を有する樹脂を充填したフィルターカートリッジ４であることを特徴とする湿し水の処理装置。【選択図】図１
2008238714.tif 000002
【特許請求の範囲】
【請求項１】
オフセット印刷で使用される湿し水の処理方法であって、湿し水を、２価以上のカチオンで塩交換した酸性基を有する樹脂を充填したフィルターを用いて処理することを含む、湿し水の処理方法。
【請求項２】
該酸性基が−ＣＯＯ-、または−ＳＯ3-である、請求項１に記載の湿し水の処理方法。
【請求項３】
該２価以上のカチオンがＦe3+又はＡｌ3+である、請求項１又は２に記載の湿し水の処理方法。
【請求項４】
塩交換が施される酸性基を有する樹脂が、下記一般式（Ｉ）〜（IV）で表される構成単位から選ばれる構成単位を有するカチオン交換樹脂である、請求項１〜３のいずれか１項に記載の湿し水の処理方法。
【化１】
2008238714.tif 000006
【請求項５】
連続給水式のオフセット印刷機の水舟から排出された湿し水を、２価以上のカチオンで塩交換した酸性基を有する樹脂を充填したフィルターを通過させることを含む、請求項１〜４のいずれか１項記載の湿し水の処理方法。
【請求項６】
オフセット印刷で使用される湿し水の処理装置であって、湿し水を処理するフィルターカートリッジを備えており、該フィルターカートリッジが、２価以上のカチオンで塩交換した酸性基を有する樹脂を充填したフィルターカートリッジであることを特徴とする湿し水の処理装置。
【発明の詳細な説明】
【技術分野】
【０００１】
本発明は、湿し水の処理方法及び湿し水の処理装置に関する。より詳しくは、オフセット印刷で使用される湿し水を処理して、湿し水の性能を安定化させ湿し水本来の性能を維持させるための、湿し水の処理方法および湿し水の処理装置に関するものである。
【背景技術】
【０００２】
平版印刷は水と油が本質的に混じり合わない性質を巧みに利用した印刷方式であり、印刷版面は水を受容し油性インキを反撥する領域と、水を反撥し油性インキを受容する領域からなり、前者が非画像領域であり、後者が画像領域である。平版印刷法では一般的に湿し水を用いて、非画像領域を湿潤させて画像領域と非画像領域との界面化学的な差を拡大して、非画像領域のインキ反撥性と画像領域のインキ受容性とを増大させることがなされる。
【０００３】
通常湿し水には平版印刷版の非画像領域のインキ反発性を維持するため、硝酸、リン酸、ホスホン酸、硫酸、塩酸またはこれらの塩等が添加されている。特にリン酸及び／又はリン酸塩、ホスホン酸及び／又はホスホン酸塩は印刷版の非画像領域の親水性を高めるため、有効に用いられている。
一方、湿し水は通常濃縮液の形態で供給され、使用時に水道水や井戸水などで希釈して使用される。その水道水や井戸水に含まれているカルシウムイオンなどが湿し水中の成分と反応して不溶性の析出物を生成し、この析出物が印刷機のロールに付着して印刷に悪影響を与える原因となることがある。
【０００４】
さらに近年、環境保全の観点から増加しつつある再生紙、さらには再生紙の白色度を高めるために、炭酸カルシウムのような多価金属の塩類を多量に含む塗工層を表面に設けた軽量コート再生紙などが増えてきており、これらの印刷用紙を用いて印刷した場合、湿し水の長期間の連続使用条件下において、湿し水が紙の表面コート層から炭酸カルシウムを溶解する結果、湿し水中のカルシウムイオンの濃度が増大していく傾向がある。
他方、カルシウムは、原水（湿し水用濃縮液を希釈するための水道水や井戸水）ではカルシウムイオンとして存在し、特に硬度の高い硬水を原水として使用する場合はカルシウムイオンが多く存在する。また、印刷用紙においても充填剤として炭酸カルシウムが含まれ、インキにおいても体質顔料として炭酸カルシウムが含まれる場合がある。特に紅インキの顔料はカルシウムレーキ処理で製造されるためカルシウムが含まれ、これらの一部は湿し水へカルシウムイオンとして溶出し易くなることが知られている。
【０００５】
このようにして増大した湿し水中のカルシウムイオンが、前述のリン酸、リン酸塩、ホスホン酸やホスホン酸塩等のリン化合物と反応し、不溶性の塩を形成することがある。このような不溶性の塩が印刷版の画像領域上に析出、付着したり、印刷機のインキロール上に付着、堆積して、インキの正常な転移性を損なうことになり、インキ着肉性の低下や、いわゆるローラーストリップ（インキロール上のインキ剥げ、ローラーはげとも呼ぶ）などの問題を引き起こす場合があった。
【０００６】
従来、上記のリン化合物とカルシウムの析出物の問題を解決する手段としていろいろな方法が提案されている。たとえば、湿し水中のカルシウムイオンを減らすために、原水において軟水化装置を用いて軟水とすることが提案され、その他に、カルシウムの封鎖剤としてＥＤＴＡなどのキレート剤を湿し水に加える処置が提案され（例えば特許文献１及び２参照）、キレート剤と乳化抑制剤の併用作用によるカルシウムの溶出を促進せずにカルシウム隠蔽効果をする方法が提案されている（例えば特許文献３参照）。しかしながら、これらの方法においてもローラーはげの発生を若干遅らせることはできても防止することはできなかった。
【０００７】
またリン化合物とカルシウムの析出物を防止し、ローラーはげを抑制する手段として、リン化合物（リン酸及び／又はリン酸塩、ホスホン酸及び／又はホスホン酸塩等）を用いない湿し水が提案されている（例えば特許文献４及び特許文献５参照）。
ところが湿し水がリン化合物を含有していなくとも、リン化合物はインキ中にも配合されているため、そのようなインキを長期間使用するうちにリン化合物が湿し水中に溶出し、湿し水中で蓄積が進むために、一定期間使い込まれた湿し水中にはかなりの濃度のリン化合物が含有されることがある。新液時にはリン化合物を含まない湿し水であっても、数日間使用することによりリン化合物を含有することとなるため、これらが湿し水中でカルシウムイオンと不溶性の塩を形成し、インキローラー上への析出を起こすこととなり、ローラーはげの発生を防止することができなかった。
【０００８】
湿し水の性能を安定化させ新液時の能力を維持させる手段として、混入してくる不純物を濾過により除去する方法が考えられ、湿し水濾過装置の使用が提案されている。湿し水を濾過してリサイクルする濾過装置として、例えば、ブリーツ型フィルターを含む複数本のフィルターを使用する湿し水濾過装置が提案されている（特許文献６参照）。特許文献６には、プリーツ型フィルター、具体的には、ポリプロピレン繊維等の不織布にケイソウ土等の無機質素材を配合した濾過材をひだ折りにして筒状にしたフィルターを用い、高精度な濾過を可能とした構成とするものが例示されている。このような構成の濾過装置で湿し水を濾過処理することにより、不純物が取り除かれ湿し水は常にきれいな状態で循環され、長期間交換せずに使用することが可能となる。
【０００９】
しかしながら前記濾過装置では、湿し水に混入してくるインキ、オイル、紙粉、パウダーなどを濾過することは可能であるが、イオン状態で湿し水中に溶解している物質を除去することは不可能である。濾過を繰り返す過程においてインキから溶出してくるリン化合物や硬度物質（カルシウムやマグネシウムといった金属イオン）やインキの顔料から溶出してくる重金属が湿し水に蓄積されていくため、これらは濃度がある一定以上に達すると、リン化合物と反応して水不溶性の塩を形成し、印刷機のインキローラー上に析出を起こす。従って前記濾過装置を使用してもローラーはげを引き起こす問題を防ぐことはできなかった。
【００１０】
【特許文献１】特開平１１−１０５４４９号公報
【特許文献２】特開平４−２３５０９６号公報
【特許文献３】特開２００１−１０５７６４号公報
【特許文献４】特開２００４−１０６５３１号公報
【特許文献５】特開２００５−５３１８９号公報
【特許文献６】特開２００１−２６０３１０号公報
【発明の開示】
【発明が解決しようとする課題】
【００１１】
本発明の目的は、オフセット印刷において、湿し水から印刷に支障を起こす不純物を除去し、かつ湿し水本来の効果を保持することができる、湿し水の処理方法および湿し水の処理装置を提供することである。本発明の目的はより具体的には、湿し水中にリン化合物が混入してもこれを選択的に除去し、カルシウムなどの多価金属がリン化合物と反応して不溶性の塩を形成することを防ぎ、印刷版の画像領域上や、印刷機のインキロール上にカルシウム塩などの析出を防止し、インキ着肉性の低下やローラーはげ現象の発生を抑制することが可能となる、湿し水の処理方法および湿し水の処理装置を提供することにある。
【課題を解決するための手段】
【００１２】
本発明者は上記課題を達成するために、鋭意研究を重ねた結果、湿し水を、特定の樹脂を充填したフィルターで処理することによって、湿し水の性能を良好に維持することができ、長期にわたり良好な印刷を行うことができることを見出し、本発明を完成させるに至った。
従って本発明は、オフセット印刷で使用される湿し水の処理方法であって、湿し水を、２価以上のカチオンで塩交換した酸性基を有する樹脂を充填したフィルターを用いて処理することを含む、湿し水の処理方法である。
本発明の実施態様として、上記酸性基が−ＣＯＯ-、または−ＳＯ3-である樹脂を使用する湿し水の処理方法がある。また、上記２価以上のカチオンがＦe3+又はＡｌ3+である、湿し水の処理方法がある。
【００１３】
本発明で用いる樹脂は、酸性基を有するカチオン交換樹脂を２価以上のカチオンで塩交換することによって調製することができる。本発明の具体的実施態様において、２価以上のカチオンでの塩交換が施される酸性基を有するカチオン交換樹脂として、下記一般式（Ｉ）〜（IV）で表される構成単位から選ばれる構成単位を有するカチオン交換樹脂が挙げられる。
【化１】
2008238714.tif 000003
【００１４】
本発明の湿し水の処理方法は、具体的には、連続給水式のオフセット印刷機の水舟から排出された湿し水を、２価以上のカチオンで塩交換した酸性基を有する樹脂を充填したフィルターを通過させることを含む。
本発明の湿し水の処理方法は、さらに具体的には、連続給水式のオフセット印刷機の水舟から排出された湿し水を、湿し水循環タンクを介して、２価以上のカチオンで塩交換した酸性基を有する樹脂を充填したフィルターを装備した湿し水処理装置へ送り、該２価以上のカチオンで塩交換した酸性基を有する樹脂を充填したフィルターを通過させ、該フィルターを通過した湿し水を湿し水循環タンクを介して、オフセット印刷機の水舟へ供給することを含む。
【００１５】
本発明はさらに、オフセット印刷で使用される湿し水の処理装置に向けられている。該湿し水の処理装置は、湿し水を処理するフィルターカートリッジを備えており、該フィルターカートリッジは、２価以上のカチオンで塩交換した酸性基を有する樹脂を充填したフィルターカートリッジである。その樹脂の例として、上述の樹脂が挙げられる。
上記のように、２価以上のカチオンで塩交換した酸性基を有する樹脂を充填したフィルターを用いて湿し水を処理することによって、湿し水中のリン酸、リン酸塩、ホスホン酸、ホスホン酸塩等のリン化合物を取り除くことができる。こうして湿し水中のリン化合物が除去されるため、湿し水中のカルシウムの濃度が増大しても不溶性の塩が析出することがなく、ローラーはげの発生が起きにくい。
【発明の効果】
【００１６】
本発明の湿し水の処理方法によれば、印刷機のインキロール上や印刷版の画像領域上にリン化合物の不溶性塩を析出させることなく、ローラーはげや着肉不良現象の発生を充分に抑制することができる。
本発明の湿し水の処理方法は、湿し水の基本性能に影響を与えず、湿し水において印刷版面への濡れ性や印刷版非画像領域の親水化力には影響を与えない。本発明の湿し水の処理方法により処理した湿し水によれば、印刷時に、印刷版の汚れ、ブラインディング、水負け、及びインキ着肉不良といった問題を発生させずに安定に連続印刷をすることができ、印刷適性が良好である。
また本発明の湿し水の処理方法によれば、長期間にわたり湿し水を交換することなく初期性能の維持が可能であり、また多部数の印刷を行っても、非画像部に地汚れが発生したり、網点ハイライト部分の飛びなどの画像欠落を起こすことなく、安定に高品質の印刷物を得ることができ、印刷の能率化、生産性の向上を図ることができる。
【発明を実施するための最良の形態】
【００１７】
以下、本発明の湿し水の処理方法及び湿し水の処理装置の実施の形態を、図面を参照して説明する。
図１は、本発明による湿し水の処理方法の一実施形態の概略を表した図である。
図１において、２０はオフセット印刷機であり、版胴２１と、湿し水を溜めるための水舟２３と、水舟２３内の湿し水を版胴２１へと導くためのローラー２２とを備える。このオフセット印刷機２０では、水舟２３内の湿し水が、ローラー２２の回転により版胴２１側へ導かれ、非画線部を湿らせることになる。
【００１８】
図１において３０は湿し水循環タンクであり、上記オフセット印刷機２０の水舟２３に湿し水を供給する。湿し水循環タンク３０は、湿し水やアルコール等の濃度、ｐＨ、水温等を検出し、それらを調整するために、水を補給したり、湿し水濃縮液やアルコール等を補給したり、湿し水を冷却したりする。
【００１９】
図１において１０は湿し水の処理装置である。この湿し水の処理装置１０において、１は吸込口であり、上記オフセット印刷機２０で使用された湿し水が湿し水循環タンク３０を介して導かれる。ポンプ２は、本装置１０内での湿し水の吸い込み、吐出を行う。本装置１０内に、２価以上のカチオンで塩交換した酸性基を有する樹脂を充填したフィルターカートリッジ４を装填する。５は圧力検出器であり、上記のフィルターカートリッジの上下流の差圧を測定する。７は吐出口であり、本装置１０で処理した湿し水を上記湿し水循環タンク３０に還流する。
【００２０】
湿し水循環タンク３０から湿し水を吸込み、湿し水処理装置内を循環させるポンプ２には、定量性かつ圧送性を備えたタービンポンプ又はカスケードポンプを用いることが好ましい。また、湿し水の特性を損なわないために耐腐食性の材質で形成された上記のポンプを使用する。また圧送能力として０．５ＭＰａ以上を有し、定量性として１０Ｌ/ｍｉｎ〜５０Ｌ/ｍｉｎの能力を有するポンプを使用する。これはフィルターの目が詰まったときにでも最低１０Ｌ/ｍｉｎの濾過能力を持たせるためであり、さらにフィルターの目が全く詰まっていないときに大流量でフィルターを通過し、適正な処理ができなくなるのを防ぐ目的である。
【００２１】
本発明で用いる樹脂は、酸性基を有するカチオン交換樹脂を２価以上のカチオンで塩交換することによって調製することができる。本発明で用いる樹脂の前駆物質となる酸性基を有するカチオン交換樹脂として、低架橋度のゲル型カチオン交換樹脂やマクロ・ポアを有するマクロポーラス型カチオン交換樹脂等が使用可能である。直径１００μmから１０００μmの公知並びに市販のカチオン交換樹脂が使用でき、強酸性樹脂および弱酸性樹脂のどちらも使用できる。
本発明において好適に使用される上記の市販のカチオン交換樹脂としては、たとえば、三菱化学社製ダイヤイオンシリーズが挙げられる。上記一般式（Ｉ）で表される構成単位を有する樹脂としては、ダイヤイオンＳＫ１Ｂ、ＳＫ１０４、ＳＫ１１６、ＰＫ２０８、ＰＫ２１６、ＰＫ２２８等が挙げられる。上記一般式（II）で表される構成単位を有する樹脂としてはダイヤイオンＷＫ１０、ＷＫ１１等が挙げられ、上記一般式（III）で表される構成単位を有する樹脂としてはＷＫ２０が挙げられる。また一般式（IV）で表される構成単位を有する樹脂としてはダイヤイオンＣＲ１０が挙げられる。
【００２２】
上記の酸性基を有するカチオン交換樹脂に対し、塩交換によって担持させる２価以上のカチオンは、好ましくは３価以上のカチオンである。該２価以上のカチオンとして、特に制限はないが、たとえばＭｇ、Ａｌ、Ｃａ、Ｚｎ、Ｔｉ、Ｃｒ、Ｆｅ、Ｎｉ、Ｃｕ、Ｚｒ等のイオンが挙げられる。これらの中で、リン化合物の吸着容量、安全性の点からＦｅ3+、Ａｌ3+が特に好ましい。
【００２３】
カチオン交換樹脂に２価以上のカチオンを担持させる方法としては、そのカチオンの塩酸塩化合物、硫酸塩化合物、硝酸塩化合物等を溶解した水溶液に、カチオン交換樹脂を投入し、攪拌することにより、容易に得ることができる。２価以上のカチオンの塩化合物の水溶液は５０〜１００ｇ／Ｌの濃度が好ましく、この水溶液１Ｌに対しカチオン交換樹脂を湿潤状態で１００〜２００ｇの割合で添加し、攪拌混合することが好ましい。混合は液温１５〜２５℃の範囲で１０〜３０分間程度よく攪拌することが好ましい。また、２価以上のカチオンの担持は、カチオン交換樹脂を充填したフィルターカートリッジに、上記の２価以上のカチオンの塩化合物を溶解した水溶液を通液することによっても実現することができる。
２価以上のカチオンを担持させたカチオン交換樹脂は、グラスフィルター等を用いて分離した後、純水にて十分洗浄することで作製する。２価以上のカチオンの担持量は、その量が少ないとリン化合物の除去能が発現できない。２価以上のカチオンの担持量は、カチオン交換樹脂の乾燥質量１ｇあたり３０〜９０ｍｇの範囲が好ましく、５０〜８０ｍｇの範囲が特に好ましい。
本発明では、上記のようにして得られた２価以上のカチオンを担持させたカチオン交換樹脂、すなわち２価以上のカチオンで塩交換した酸性基を有する樹脂を、フィルターに充填して使用することができる。
【００２４】
次に、湿し水処理装置１０の動作について説明する。オフセット印刷機２０で使用された湿し水は、水舟２３から湿し水循環タンク３０を介して湿し水処理装置１０の吸込口１に導かれる。湿し水は、湿し水処理装置１０内で、上述の２価以上のカチオンで塩交換した酸性基を有する樹脂を充填したフィルターカートリッジ４を通過する。このフィルターカートリッジで湿し水中のリン酸などのリン化合物が取り除かれる。
次に、フィルターカートリッジ４で処理された湿し水は、吐出口７から湿し水循環タンク３０へと還流される。そして、湿し水循環タンク３０において当該湿し水やアルコール等の濃度、ｐＨ、水温等が調整され、湿し水は再びオフセット印刷機２０に供給される。
【００２５】
２価以上のカチオンで塩交換した酸性基を有する樹脂を充填したフィルターカートリッジ４による処理に先立って、別のフィルターを設け、湿し水からインキ、オイル、紙粉の微粒子などを取り除く濾過処理を行ってもよい。このようなフィルターは、２価以上のカチオンで塩交換した酸性基を有する樹脂を充填したフィルターカートリッジ４の上流側、すなわちポンプ２とフィルターカートリッジ４の間に配すことができる。２価以上のカチオンで塩交換した酸性基を有する樹脂を通過させる前に、湿し水からインキ、オイル、紙粉などの微粒子成分を除去することによって、該樹脂のフィルターカートリッジ４がこれらの物質で汚染されることが抑制され寿命が延びることにつながり好ましい。
図２は、湿し水処理装置１０内のポンプ２と２価以上のカチオンで塩交換した酸性基を有する樹脂を充填したフィルターカートリッジ４の間に、微粒子濾過用フィルター３が装填されている実施形態を表す。
【００２６】
湿し水中の微粒子を除去する目的のために使用されるフィルターとしては、多孔質の筒状芯材に繊維を数層にわたって巻き付けた糸巻き型フィルターや、ポリプロピレン繊維等の不織布にケイソウ土等の無機質素材を配合してなる濾過材を使用したフィルターなど公知や市販のフィルターが使用できる。
なお、処理が繰り返され、フィルターカートリッジ４に目詰まりが生じると、その上下流の差圧が高くなる。圧力検出器５により、フィルターカートリッジ４の上下流の差圧をそれぞれ測定することができる。この差圧がフィルターカートリッジの交換時期を判断する指標となる。
【００２７】
以上に述べた実施の形態によれば、フィルターカートリッジ４でリン化合物が取り除かれるので、リン化合物を含有しない湿し水を循環させることができ、インキローラー上へのカルシウム塩の析出を防止するとともに、ローラーはげの発生を抑制することができる。
本発明の湿し水の処理方法を適用する湿し水の種類は、特に制限されるものでなく、例えば一般のアルコール代替湿し水やアルコール併用湿し水を使用することができる。本発明の方法がリン化合物を除去する処理であることから、湿し水処方中にリン化合物を含有しないものが好ましい。
【実施例】
【００２８】
以下に、本発明を実施例に基づいてより詳細に説明する。なお、本発明は、下記の実施例に限定されるものではない。
[実施例１]
〔Ｆｅ3+イオンを担持したカチオン交換樹脂の製造〕
カチオン交換樹脂として、上記一般式（Ｉ）で表される構成単位を有する酸性樹脂で構成されるカチオン交換樹脂（商品名ダイヤイオンＳＫ１Ｂ）を用い、ＦｅＣｌ3の水溶液中に投入、攪拌し、カチオン交換樹脂のイオン交換基にＦｅ3+イオンを飽和吸着させた後、グラスフィルターを用いてカチオン交換樹脂を濾過、分離し、引き続き純水にて十分洗浄することにより、Ｆｅ3+イオンを担持したカチオン交換樹脂を製造した。作成したＦｅ3+イオン担持カチオン交換樹脂中のＦｅ3+イオンの担持量は、カチオン交換樹脂の乾燥質量１ｇ当たり７０ｍｇであった。
【００２９】
湿し水の処理方法の実施形態として、概略的に図２に示される装置及び構成を採用した。
湿し水処理装置１０として、富士フイルムグラフィックシステムズ製ＥＣＯＬＩ−ＫＩＲＥＩ１００を用いた。フィルターカートリッジ４には、上記のように調製したＦｅ3+イオンを担持したカチオン交換樹脂を充填したものを用いた。微粒子濾過用フィルター３を、インキやオイル、紙粉、パウダー等を除去するために、フィルターカートリッジ４の上流側に設けた。該微粒子濾過用フィルター３として、ポリプロピレン製の不織布にケイソウ土を配合した濾過材を装填した。なお圧力検出計６は、微粒子濾過用フィルター３用の圧力検出計である。
また湿し水循環タンク３０にはボールドウイン製ＢＣ７１３を使用した。
これらの装置及び構成により湿し水の処理を行いながら、連続印刷により印刷テストを行った。
【００３０】
印刷テストの条件を下記に示す。
〔印刷テストの条件〕
印刷機：リスロン２６ ２色機（小森コーポレーション製）
印刷版：ＨＰＦ（富士フィルム製）
用紙：エミネ（中越パルプ製）
インキ：ハイユニティＳＯＹ ＭＺ  紅、藍 （東洋インキ製）
印刷速度：１２，０００枚／時
印刷枚数：１０万枚／日で５日間印刷
【００３１】
〔印刷汚れの観察方法〕
印刷物紙面内の印刷汚れの発生を観察した。
〔インキ着肉不良の観察〕
画像面積率５％以下の網点画像部分の印刷物濃度の低下の有無を観察した。
網点部の印刷物濃度が印刷開始時の濃度より１５％以上低減したものを着肉不良発生と見なした。
〔ローラーはげの観察方法〕
印刷汚れが解消する水目盛から２０％高い水目盛にて印刷を行い、インキ練りローラにインキが正常に付いているか、はげが発生していないかを観察した。
【００３２】
なお湿し水として、以下の表１に記載する処方（単位：グラム）により調製した湿し水組成物を、水道水を用いて５０倍に希釈して印刷テストに使用した。印刷テスト終了後に回収した湿し水中のリン化合物の量を、ＩＣＰ（Inductively Coupled Plasma）発光分析装置を用いて常法により測定した。印刷テストの結果とリン化合物の量を表２に示す。
【００３３】
［実施例２］
カチオン交換樹脂に対してＡｌＣｌ3水溶液を用いて処理を行い、Ａｌ3+イオンを担持させたＡｌ3+イオン担持カチオン交換樹脂を用いた以外は、実施例１と全く同じ条件で印刷テストを行った。
［実施例３］
カチオン交換樹脂に対してＺｎＣｌ2水溶液を用いて処理を行い、Ｚｎ2+イオンを担持させたＺｎ2+イオン担持カチオン交換樹脂を用いた以外は、実施例１と全く同じ条件で印刷テストを行った。
［実施例４］
カチオン交換樹脂に対してＣａＣｌ2水溶液を用いて処理を行い、Ｃａ2+イオンを担持させたＣａ2+イオン担持カチオン交換樹脂を用いた以外は実施例１と全く同じ条件で印刷テストを行った。
【００３４】
［実施例５］
カチオン交換樹脂として、一般式（II)で表される構成単位を有するカチオン交換樹脂（商品名ダイヤイオンＷＫ１０）を用いた以外は、実施例１と全く同じ条件で印刷テストを行った。
［実施例６］
カチオン交換樹脂として、一般式（III）で表される構成単位を有するカチオン交換樹脂（商品名ダイヤイオンＷＫ２０）を用いた以外は、実施例１と全く同じ条件で印刷テストを行った。
［実施例７］
カチオン交換樹脂として、一般式（IV）で表される構成単位を有するカチオン交換樹脂（商品名ダイヤイオンＣＲ１０）を用いた以外は、実施例１と全く同じ条件で印刷テストを行った。
【００３５】
［比較例１］
湿し水処理装置１０においてフィルターカートリッジ４に何も充填せず、空の状態で使用したこと以外は、実施例１と全く同じ条件で印刷テストを行った。
【００３６】
【表１】
2008238714.tif 000004
【００３７】
【表２】
2008238714.tif 000005
【００３８】
表２の結果から、新液においてリン化合物を含有しない湿し水でも、比較例１に示すように印刷テスト実施後にはリン化合物の溶出が認められるが、本発明に従って２価以上のカチオンを担持させたカチオン交換樹脂を充填したフィルターを用いて湿し水を処理した場合には、いずれの例においてもリン化合物の濃度は極めて低く抑えられていることがわかる。また印刷実技性能において、インキローラーのローラーはげの発生は全く起きなかった。また印刷汚れやインキ着肉不良の発生もなく、その他の印刷性能についても全く問題はなかった。
【図面の簡単な説明】
【００３９】
【図１】本発明による湿し水の処理方法の一実施形態の概略を表した図である。
【図２】本発明による湿し水の処理方法の別の実施形態の概略を表した図である。
【符号の説明】
【００４０】
１  吸込口
２  ポンプ
３  微粒子濾過用フィルター
４  ２価以上のカチオンで塩交換した酸性基を有する樹脂を充填したフィルターカートリッジ
５  圧力検出器
６  圧力検出器
７  吐出口
１０  湿し水処理装置
２０  オフセット印刷機
２１  版胴
２２  ローラー
２３  水舟
３０  湿し水循環タンク
【図１】
2008238714.tif 000007
【図２】
2008238714.tif 000008